(57)【特許請求の範囲】
【請求項１】
情報信号を記録するディスク（１）と、ディスク（１）を回転可能な状態で収容するケース本体（２）と、ケース本体（２）に開口した信号読み書き窓（３）を開閉するシャッター（４）と、シャッター（４）を閉じ位置において開放不能にロック保持するロック爪（５）とを備えているディスクカートリッジであって、
ロック爪（５）が、ケース本体（２）に設けた支持体（２４）で回動不能に固定保持されるボス部（２０）と、ボス部（２０）まわりに揺動して、シャッター（４）に設けた係止片（１５）に係脱するロック腕（２２）と、ボス部（２０）とロック腕（２２）との間に設けられたばね部（２１）とを備えており、
ロック腕（２２）の揺動基端にばね部（２１）が立設されており、ばね部（２１）の上端にボス部（２０）が設けてあり、ばね部（２１）がトーションばねとして構成してあるディスクカートリッジ。  
【発明の詳細な説明】
【０００１】
【発明の属する技術分野】
この発明は、信号読み書き窓をスライド開閉するシャッターが、閉じ位置においてロック爪でロック保持される形式のディスクカートリッジに関する。
【０００２】
【従来の技術】
この種のディスクカートリッジとして、光磁気ディスクを記録媒体とするディスクカートリッジ（ＭＤ）が市販されている。そこでは、図５に示すように情報信号を記録するためのディスク３０と、ディスク３０を収容する四角形の薄いケース本体３１と、ケース本体３１に設けた信号読み書き窓３２をスライド開閉するシャッター３３などでディスクカートリッジを構成している。不使用状態において、シャッター３３はロック爪３４でロック保持されて信号読み書き窓３２を閉じ姿勢に保持している。
【０００３】
かかるロック爪３４は、ボス３５と、ボス３５の周面一部から延びるロック腕３６と、ロック腕３６と平行に延びるばね腕３７とを一体に形成したプラスチック成形品からなる。ばね腕３７の先端は、弾性変形された状態でケース内面の受壁３８で受け止められており、該ばね腕３７の弾性復元力でロック爪３４の全体をロック腕３６がシャッター３３の係止片３９と係合する向きに揺動付勢している。
【０００４】
【発明が解決しようとする課題】
上記のＭＤをひと回り小さくし、さらに信号記録容量を向上することを狙った次世代のディスクカートリッジが提案されている。そこでは、ＭＤと同様に閉じ位置でのシャッターをロック爪でロック保持することが予定されている。しかし、ケースサイズが小さくなるため、ばね腕とロック腕を備えている従来のロック爪をそのまま収容することはできない。ロック爪の全体を小形化して使用することは不可能ではないが、小形化されたシャッターをロック保持するのに好適なばね特性が得られにくい。例えば、単に小形化しただけでは、ばね腕のばね力が強きに過ぎ、シャッターの閉じ操作に要する力が過大になる。
【０００５】
従来のロック爪は、ロック腕とは別に専用のばね腕を設けている。そのため、ロック爪が占める占有面積を一定量以下には削減できず、ディスクカートリッジのコンパクト化の障害になっている。
【０００６】
この発明の目的は、ロック爪の構造を工夫することによって、ケース内におけるロック爪の占有面積を減少し、その分だけディスクカートリッジのコンパクト化を実現することにある。
この発明の他の目的は、シャッターを閉じ位置において確実にロック保持しながら、シャッターの閉じ操作が軽快に行えるようにし、とくに小形のディスクカートリッジに好適なシャッターロック構造を提供することにある。
【０００７】
【課題を解決するための手段】
この発明のディスクカートリッジは、図２に示すごとく情報信号を記録するディスク１と、ディスク１を回転可能な状態で収容するケース本体２と、ケース本体２に開口した信号読み書き窓３を開閉するシャッター４と、シャッター４を閉じ位置において開放不能にロック保持するロック爪５とを備えている。そのロック爪５は、図１に示すごとくケース本体２に設けた支持体２４で回動不能に固定保持されるボス部２０と、ボス部２０まわりに揺動して、シャッター４に設けた係止片１５と係脱するロック腕２２と、ボス部２０とロック腕２２との間に設けられたばね部２１とを備えている。
【０００８】
具体的には、ロック腕２２の揺動基端にばね部２１を立設し、ばね部２１の上端にボス部２０を設け、ばね部２１をトーションばねとして構成してある。
【０００９】
【作用】
ロック爪５は、ボス部２０とロック腕２２、および両者２０・２２の間に設けたばね部２１とで、Ｌ字状の単一部品として構成するので、従来のロック爪に比べて、ケース内における占有面積が減少する。とくに、ケース内部の上下方向のスペースを利用して、ばね部２１をトーションばねとして構成したロック爪５によれば、その占有面積を最小限化できる。多くの場合、ロック爪５はケース本体２の隅部空間を利用して配置するが、この隅部には位置決め用の係合穴２７などが併設される。従って、ロック爪５の占有面積が少ない分だけ、係合穴２７をより自由に配置できるうえ、係合穴２７をより大きく形成して、位置決め精度を向上できる。
【００１０】
ばね部２１の断面積やその長さを考慮しながらロック腕２２のばね力を好適化することにより、シャッター４のロック保持を確実に行いながら、シャッター４を閉じ操作するときの乗り越え抵抗を小さくできるので、とくに小形化されたディスクカートリッジに適したシャッターロック構造が得られる。ロック爪５の組み付け時には、ボス部２０を支持体２４に係合するだけでよいので、組み込みに要する手間を減少できる。
【００１１】
【実施例】
図１ないし図４はこの発明に係るディスクカートリッジの実施例を示す。図２において、ディスクカートリッジは情報信号を記録する円盤状のディスク（光磁気ディスク）１と、ディスク１を回転自在な状態で収容するケース本体２とからなる。ディスク１はディスク本体２の片面ないし両面に情報信号を記録でき、ディスク本体２の下面中央に回転駆動用のハブが固定してある。
【００１２】
ケース本体２は、それぞれプラスチック成形された上ケース２ａと下ケース２ｂとを接合した、平面視が四角形のケースからなり、上下面の一側寄りに信号読み書き窓３が開口してある。この窓３はシャッター４でスライド開閉できる。シャッター４は閉じ位置においてロック爪５でロック保持され、捻じりコイル形のばね６で閉じ勝手に移動付勢してある。ケース本体２の上下面には、シャッター４の開閉領域に対応して、浅いスライド凹部７が凹み形成してある。
【００１３】
図３においてシャッター４は、信号読み書き窓３の上面側の開口を塞ぐ表面板１０と、該窓３の下面側の開口と駆動穴９（図２参照）を塞ぐ裏面板１１と、これら表裏面板１０・１１の側端縁どうしを橋絡する端板１２とを一体に備えた、プレス成形品あるいはプラスチック成形品からなる。端板１２の両側にはスライド腕１３・１４が突設してあり、閉じ端側のスライド腕１４の突端に、先のロック爪５で係合捕捉される係止片１５を備えている。シャッター４はケース本体２の一側面に設けたガイド溝１６に沿ってスライド開閉し、信号読み書き窓３を閉じた状態において、その係止片１５がロック爪５でロック保持される。
【００１４】
図４において、ロック爪５はボス部２０と、ボス部２０の周面一部から下向きに延びるばね部２１と、ばね部２１の下端から水平に突設したロック腕２２とを一体に成形したプラスチック成形品からなり、その全高寸法は上下ケース２ａ・２ｂの内面対向寸法より僅かに小さく設定してある。ボス部２０には非円形の係合穴２３が形成してあり、これを下ケース２ｂの内面に突設した支軸（支持体）２４の非円形の軸部２４ａに外嵌係合することにより、ロック爪５を回動不能に固定保持し、ロック腕２２をガイド溝１６に対して位置決めできる。
【００１５】
ロック腕２２の先端には、先の係止片１５に係合する係合爪２５を設け、さらに腕中途部の外面側にガイド溝１６内へ突出する操作部２６を三角形状に形成する。この操作部２６をディスクドライブ側のロック解除ピンで、ガイド溝１６側からケース内方へ押し込み、ロック腕２２の全体を揺動操作することにより、係止片１５と係合爪２５との係合状態を解除できる。
【００１６】
ロック爪５は、ロック腕２２を常にロック位置へ向って揺動付勢するためにばね部２１を有する。ばね部２１は断面四角形状の板状腕からなり、上記のようにロック腕２２が揺動するとき、板状腕の全体が縦軸まわりにねじり変形してばね力を発揮する。つまり、ばね部２１はトーションばねとして構成してある。係合爪２５がシャッター４の係止片１５に係合しているときはもちろんのこと、両者１５・２５の係合状態が解除された状態においても、ロック腕２２はばね部２１のばね力を受ける状態にある。
【００１７】
以上にようにロック爪５をＬ字状の単一部品として構成し、ボス部２０とロック腕２２との上下間にトーションばねからなるばね部２１を設けると、ロック爪５をコンパクト化できるので、その分だけケース内における占有面積が減り、テープカートリッジをコンパクト化できる。図１に示すようにロック爪５が配置される隅部空間には、ロック爪５これ以外に位置決め用の係合穴２７が設けられるが、ロック爪５の占有空間量が少ないほど係合穴２７の配置をより自由に行えるうえ、係合穴２７をより大きく形成できる。
【００１８】
支持体２４は軸である必要はなく、ボス部２０を回動不能に係合固定する突起や凹部であってもよい。ばね部２１は丸軸に形成することができる。
【００１９】
【発明の効果】
この発明では、シャッター４をロック保持するロック爪５に関して、従来はロック腕と別に設けられていた専用のばね腕を省略し、その代わりにロック腕２２とボス部２０との間に設けたばね部２１でロック腕２２を揺動付勢できるようにした。換言すると、ボス部２０とロック腕２２との外郭線の範囲内にばね部２１が収まるようにして、ケース内におけるロック爪５の占有面積を減少できるようにした。従って、ロック爪５の占有面積が減少する分だけ、ケース本体２の外形寸法や外形形状を小さくして、ディスクカートリッジをコンパクトに構成することができる。
【図面の簡単な説明】
【図１】シャッターロック構造を示す内部平面図である。
【図２】ディスクカートリッジの平面図である。
【図３】シャッターの斜視図である。
【図４】ロック爪の斜視図である。
【図５】従来のシャッターロック構造を示す内部平面図である。
【符号の説明】
１  ディスク
２ ケース本体
３ 信号読み書き窓
４ シャッター
５ ロック爪
１５ 係止片
２０ ボス部
２１ ばね部
２２ ロック腕
【図１】
0003749987.tif 000002
【図２】
0003749987.tif 000003
【図３】
0003749987.tif 000004
【図４】
0003749987.tif 000005
【図５】
0003749987.tif 000006